(57)【特許請求の範囲】
【請求項１】
固定子が平面に配列され、該平面に沿ってローターヨークが回転する偏平型ブラシレスモータにおいて、モータの厚み方向に穴あき回転軸が配置され、該穴あき回転軸の内周にはマグネットが固着されたローターヨークが固定され、該穴あき回転軸の外周には固定子に対して回転自在に支持する軸受けが固定されていることを特徴とする薄型偏平ブラシレスモータ。
【請求項２】
前記穴あき回転軸には前記軸受けの抜け止め用ストッパが設置され、ステータ用コイルがプリント基板上に樹脂により固定され、前記樹脂よりなる固定子板が、前記１個の軸受けの外周に固定されていることを特徴とする請求項１記載の薄型偏平ブラシレスモータ。
【請求項３】
請求項１または２記載の薄型偏平ブラシレスモータにおいて、ロータマグネットが回転中心に対して不平衡な分銅型形状に形成され、中心円部のみ着磁されていることを特徴とする振動モータ型薄型偏平ブラシレスモータ。
【請求項４】
請求項１または２記載の薄型偏平ブラシレスモータにおいて、前記ローターヨークにフィンが設けられていることを特徴とするファンモータ型薄型偏平ブラシレスモータ。
【発明の詳細な説明】
【０００１】
【産業上の利用分野】
本発明は、薄型偏平ブラシレスモータの構造に関し、特に薄型偏平ブラシレス振動モータや、薄型偏平ブラシレスファンモータの構造に関する。
【０００２】
【従来の技術および課題】
従来より、パソコン等に内蔵されるファンモータや携帯電話等の振動報知用振動モータは、最近のダウンサイジング化が叫ばれ、これに内蔵される各種モータの薄型化は、厚さ３ｍｍを下回りさらなる薄型化が要求されている。
【０００３】
従来薄型偏平ブラシレスモータの例を図５に示す。図５中１２は回転軸，１１は軸受け，１３は抜け止めワッシャー，１４はマグネット，１５はコイル，１６はプリント基板，１７はローターヨーク，１８は吸引ヨーク，１９はスラストライナー，２０は樹脂である。
【０００４】
薄型偏平ブラシレスモータは、その薄型化のため、従来２個あった軸受けを１個に減らし、図５に示すように、回転軸１２をロータブッシュ２１でマグネット１４が固定されたロータヨーク１７にスラストライナー１９を介して保持し、抜け止めワッシャー１３でロータ部の抜け止めを行い、前記回転軸１２に１個の軸受け１１を介して、プリント基板１６上に回転軸１２を中心に放射方向に複数のコイル１５が固定された樹脂２０よりなる固定子板を回転自在に軸支した構成を考案した。
【０００５】
しかしながら、さらなる薄型化を図るためには、回転軸が存在している限り、その保持に軸受け以外の部品スペースが必要であり、さらに、抜け止めやスラスト受けにスペースが必要で、これ以上薄型化できないという問題があった。
【０００６】
本発明の目的は、上記のような欠点を解決し、従来の回転軸をなくした全く新しいタイプの薄型偏平ブラシレスモータを提供するものである。
【０００７】
【課題を解決するための手段】
本発明は、前記従来の課題を解決するためになされたもので、請求項１記載の発明は、固定子が平面に配列され、該平面に沿ってローターヨークが回転する偏平型ブラシレスモータにおいて、モータの厚み方向に穴あき回転軸２が配置され、穴あき回転軸２の内周にはマグネット４が固着されたローターヨーク７が固定され、穴あき回転軸２の外周には固定子に対して回転自在に支持する軸受け１が固定されるように構成したものである。
【０００８】
また、請求項２記載の発明は、請求項１記載の薄型偏平ブラシレスモータにおいて、穴あき回転軸２には軸受け１の抜け止め用ストッパ３が設置され、ステータ用コイル５がプリント基板上に樹脂１０により固定され、前記樹脂１０よりなる固定子板が、前記１個の軸受け１の外周に固定されるように構成して振動モータ型薄型偏平ブラシレスモータとしたものである。
【０００９】
また、請求項３記載の発明は、請求項１または２記載の薄型偏平ブラシレスモータにおいて、ロータマグネット４が回転中心に対して不平衡な分銅型形状に形成され、中心円部のみ着磁されている構成としたものである。
【００１０】
また、請求項４記載の発明は、請求項１または２記載の薄型偏平ブラシレスモータにおいて、前記ローターヨーク７にフィンが設けてファンモータ型薄型偏平ブラシレスモータとしたものである。
【００１１】
【作用】
本発明によると、回転軸に穴あきの円筒パイプを使用することにより、穴の片側にはロータヨークのバーリング部を挿入固定でき、もう片方の穴にはストッパーを挿入固定することで、回転軸を保持できるので、厚み方向のスペースが不要となり、偏平ブラシレスモータの薄型化が図れ、部品点数も少なくできる。
【００１２】
また、上記構造の薄型偏平ブラシレスモータのロータマグネット４が回転中心に対して不平衡な分銅型形状に形成することにより、超薄型の振動モータが提供できる。さらに、中心円部のみ着磁されている構成としたことにより、磁気回路上のバランスのよい良好な振動が発生できる薄型の振動モータが提供できる。
【００１３】
また、上記構造の薄型偏平ブラシレスモータのローターヨークに送風用のフィンを形成することにより、超薄型のファンモータが提供できる。
【００１４】
【実施例】
以下、本発明の第１の実施例について、図面を参照して説明する。図１は本発明の第１実施例の薄型偏平ブラシレスモータを説明する断面図、図２は同本発明の第１実施例の薄型偏平ブラシレスモータを説明する図である。
【００１５】
図１に示す薄型偏平ブラシレスモータにおいて、２は穴あき回転軸，１は軸受け，３は抜け止めストッパー，４はマグネット，５はコイル，６はプリント基板，７はローターヨーク，８は吸引ヨーク，９はスラストライナー，１０は樹脂である。
【００１６】
本発明の第１実施例の薄型偏平ブラシレスモータによると、その薄型化のため、回転軸に穴あきの円筒パイプ２を使用し、この穴の片側にはロータマグネット４が固定されたロータヨーク７のバーリング部を挿入固定し、もう片方の穴には抜け止め用のストッパー３を挿入固定することで、回転軸を保持している。
【００１７】
また、軸受けは１個使いで、軸受け１の内周は穴あき回転軸２の外周に装着し、軸受け１の上端をスラスト受けとし、ロータ部との間にスラストライナー９を配置し、軸受け１の外周は、プリント基板６上に穴あき回転軸２を中心に放射方向に３個のコイル５が固定された樹脂２０よりなる固定子の中心穴内周に固定され、前記ロータ部を回転自在に軸支して構成している。
【００１８】
以上詳細に説明したように本発明の構成では、回転軸を保持する厚み方向のスペースが不要となり、偏平ブラシレスモータの超薄型化が図れ厚さ１．２ｍｍが可能となった。また、部品点数も１０種類と少なくなり、低コスト化と高生産性が達成できた。
【００１９】
以下、本発明の第２の実施例について、図面を参照して説明する。図３は本発明の第２実施例の振動モータ型薄型偏平ブラシレスモータを説明する断面図、図２は同本発明の第２実施例の振動モータ型薄型偏平ブラシレスモータを説明する図である。
【００２０】
本発明の第２実施例の薄型偏平ブラシレスモータによると、実施例１の構造の薄型偏平ブラシレスモータにおいて、図４に示すように前記ロータマグネット４を回転中心に対して不平衡な分銅型形状に形成することにより、超薄型の振動モータを構成した。さらに、中心円部のみ４極着磁した構成としたことにより、磁気回路上のバランスは崩さず、偏心分銅のアンバランスだけの良好な振動が低消費電流で発生できた。
【００２１】
本発明の第３実施例の薄型偏平ブラシレスモータによると、実施例１の構造の薄型偏平ブラシレスモータにおいて、前記ローターヨークに送風用のフィンを形成することにより、薄型パソコン等の内部に設置できる超薄型のファンモータが構成できた。
【００２２】
【発明の効果】
本発明の薄型偏平ブラシレスモータによると、実施例で詳細に説明したとおり、回転軸に穴あきの円筒パイプを使用することにより、穴の片側にはロータヨークのバーリング部を挿入固定でき、もう片方の穴にはストッパーを挿入固定することで、回転軸を保持できるので、厚み方向のスペースが不要となり、偏平ブラシレスモータの薄型化が図れ、部品点数も少なくでき、低コストで超薄型の偏平ブラシレスモータが提供できる。
【００２３】
また、上記構造の薄型偏平ブラシレスモータのロータマグネット４が回転中心に対して不平衡な分銅型形状に形成することにより、超薄型の振動モータが提供できる。さらに、中心円部のみ着磁されている構成としたことにより、磁気回路上のバランスのよい良好な振動が発生できる薄型の振動モータが提供できる。
【００２４】
また、上記構造の薄型偏平ブラシレスモータのローターヨークに送風用のフィンを形成することにより、超薄型のファンモータが提供できる。
【図面の簡単な説明】
【図１】本発明の第１の実施例を説明する薄型偏平ブラシレスモータの断面図である。
【図２】本発明の第１の実施例を説明する薄型偏平ブラシレスモータの説明図である。
【図３】本発明の第２の実施例を説明する振動型薄型偏平ブラシレスモータの断面図である。
【図４】本発明の第２の実施例を説明する振動型薄型偏平ブラシレスモータの説明図である。
【図５】従来例の薄型偏平ブラシレスモータを示す断面図である。
【符号の説明】
１  軸受け
２  穴あき回転軸
３  ストッパー
４  マグネット
５  コイル
６  プリント基板
７  ローターヨーク
８  吸引ヨーク
９  スラストライナー
１０  樹脂
【図１】
0004162164.tif 000002
【図２】
0004162164.tif 000003
【図３】
0004162164.tif 000004
【図４】
0004162164.tif 000005
【図５】
0004162164.tif 000006